(57)【要約】【課題】簡単に操作キーに割り当てられている処理を選択することができる。【解決手段】本発明は、表示部と、１又は複数の操作キーと、１又は複数の操作キーのそれぞれに対して１又は複数の割当動作を状態毎に割り当てる操作キー割当部と、１又は複数の操作キーのいずれかが選択されたときの状態を取得し、その取得した状態に応じて、当該選択された操作キーに割り当てられている割当動作を選択する操作キー制御部と、操作キー制御部により選択された割当動作に関する画像を表示部に表示する表示制御部とを備えることを特徴とする画像処理装置である。【選択図】      図１
2014217000.tif 000002
【特許請求の範囲】
【請求項１】
表示部と、
１又は複数の操作キーと、
前記１又は複数の操作キーのそれぞれに対して１又は複数の割当動作を状態毎に割り当てる操作キー割当部と、
前記１又は複数の操作キーのいずれかが選択されたときの状態を取得し、その取得した状態に応じて、当該選択された操作キーに割り当てられている割当動作を選択する操作キー制御部と、
前記操作キー制御部により選択された割当動作に関する画像を前記表示部に表示する表示制御部と
を備えることを特徴とする画像処理装置。
【請求項２】
前記１又は複数の操作キーに割り当てられた割当動作に関する設定情報を記憶する設定情報記憶部を有し、
前記操作キー制御部が、操作キーが選択されたときの状態及び選択された操作キーに基づいて、前記設定情報記憶部から対応する設定情報を選択するものであり、
前記表示制御部が、前記操作キー制御部により選択された設定情報を含む画像を前記表示部に表示するものである
ことを特徴とする請求項１に記載の画像処理装置。
【請求項３】
前記１又は複数の操作キーに割り当てられた送信機能に関する宛先情報を記憶する宛先情報記憶部を有し、
前記操作キー制御部が、操作キーが選択されたときの状態及び選択された操作キーに基づいて、前記設定情報記憶部から対応する宛先情報を選択するものであり、
前記表示制御部が、前記操作キー制御部により選択された宛先情報を含む画像を前記表示部に表示するものである
ことを特徴とする請求項１又は２に記載の画像処理装置。
【請求項４】
前記操作キー割当部が、前記表示部に表示される機能に関連する状態毎に、前記各操作キーに対して機能に係る割当動作を割り当てるものであることを特徴とする請求項１〜３のいずれかに記載の画像処理装置。
【請求項５】
前記操作キー制御部は、同一の操作キーが連続的に選択されるときに、当該操作キーに割り当てられている割当動作を切り替えるものであることを特徴とする請求項１〜４のいずれかに記載の画像処理装置。
【請求項６】
前記操作キー制御部は、同種の異なる操作キーが連続的に押下されるときに、当該同種の異なる操作キーの選択のされ方に応じて、割当動作を切り替えるものであることを特徴とする請求項１〜５のいずれかに記載の画像処理装置。
【発明の詳細な説明】
【技術分野】
【０００１】
本発明は、画像処理装置に関し、例えば、１又は複数の操作キーのそれぞれに複数の割当動作（処理）を割り当てて、いずれかの処理を実行する画像処理装置に適用し得るものである。
【背景技術】
【０００２】
従来、１個の操作キーに複数の処理を割り当て、操作方法に応じていずれかの処理を実行させる技術がある（特許文献１参照）。
【先行技術文献】
【特許文献】
【０００３】
【特許文献１】特開２０１０−２７８５０２号公報
【発明の概要】
【発明が解決しようとする課題】
【０００４】
しかしながら、１個の操作キーに複数の処理が割り当てられている場合、ユーザの希望する処理を選択するためのユーザ操作が複雑である。
【０００５】
そのため、１個の操作キーに割り当てられている処理を、従来よりも簡単に選択することができる画像処理装置が求められている。
【課題を解決するための手段】
【０００６】
かかる課題を解決するために、本発明は、（１）表示部と、（２）１又は複数の操作キーと、（３）１又は複数の操作キーのそれぞれに対して１又は複数の割当動作を状態毎に割り当てる操作キー割当部と、（４）１又は複数の操作キーのいずれかが選択されたときの状態を取得し、その取得した状態に応じて、当該選択された操作キーに割り当てられている割当動作を選択する操作キー制御部と、（５）操作キー制御部により選択された割当動作に関する画像を表示部に表示する表示制御部とを備えることを特徴とする画像処理装置である。
【発明の効果】
【０００７】
本発明によれば、簡単に操作キーに割り当てられている処理を選択することができる。
【図面の簡単な説明】
【０００８】
【図１】第１の実施形態に係る画像処理装置の構成を示す構成図である。
【図２】第１の実施形態のオペレーションパネルの外観構成を示す外観構成図である。
【図３】第１の実施形態の宛先情報の登録方法を表示部の画面遷移を用いて説明する説明図である（その１）。
【図４】第１の実施形態の宛先情報の登録方法を表示部の画面遷移を用いて説明する説明図である（その２）。
【図５】第１の実施形態の設定情報の登録方法を表示部の画面遷移を用いて説明する説明図である（その１）。
【図６】第１の実施形態の設定情報の登録方法を表示部の画面遷移を用いて説明する説明図である（その２）。
【図７】第１の実施形態のキー割当部における割当情報としてのキー割当テーブルの構成を示す構成図である。
【図８】第１の実施形態のワンタッチキーが押下されたときの画面遷移を説明する説明図である。
【図９】第１の実施形態のワンタッチキーが連続的に押下されたときの動作切り替え順序を説明する説明図である。
【図１０】第１の実施形態の画像処理装置においてワンタッチキーが押下されたときの処理を示すフローチャートである。
【図１１】第１の実施形態の画像処理装置においてワンタッチキーが押下されたときの処理を示すシーケンス図である。
【図１２】第１の実施形態の宛先情報の取得処理を示すフローチャートである。
【図１３】第１の実施形態の設定情報の取得処理を示すフローチャートである。
【図１４】第１の実施形態のワンタッチキーが連続して押下されたときの割当動作の切替処理を示すフローチャートである。
【図１５】第１の実施形態のワンタッチキーが連続して押下されたときの割当動作の切替処理を示すシーケンス図である。
【図１６】第１の実施形態の表示部に表示される画面例を示す画面図である。
【図１７】第２の実施形態に係る画像処理装置の構成を示す構成図である。
【図１８】第２の実施形態のオペレーションパネルの外観構成を示す外観構成図である。
【図１９】第２の実施形態のキー割当部における割当情報としてのキー割当テーブルの構成を示す構成図である。
【図２０】第２の実施形態の画像処理装置においてワンタッチキーが押下されたときの処理を示すフローチャートである。
【図２１】第２の実施形態の画像処理装置においてワンタッチキーが押下されたときの処理を示すシーケンス図である。
【図２２】第２の実施形態の１回目のワンタッチキー押下時のキー割当切替制御部における動作選定処理を示すフローチャートである（その１）。
【図２３】第２の実施形態の１回目のワンタッチキー押下時のキー割当切替制御部における動作選定処理を示すフローチャートである（その２）。
【図２４】第２の実施形態の１回目のワンタッチキー押下時のキー割当切替制御部における動作選定処理を示すフローチャートである（その３）。
【図２５】第２の実施形態の１回目のワンタッチキー押下時のキー割当切替制御部における動作選定処理を示すフローチャートである（その４）。
【図２６】第２の実施形態の１回目のワンタッチキー押下時のキー割当切替制御部における動作選定処理を示すフローチャートである（その５）。
【図２７】第２の実施形態のワンタッチキーが連続して複数回押下されたときの動作切替処理を示すフローチャートである。
【図２８】第２の実施形態のワンタッチキーが連続して複数回押下されたときの動作切替処理を示すシーケンス図である（その１）。
【図２９】第２の実施形態のワンタッチキーが連続して複数回押下されたときの動作切替処理を示すシーケンス図である（その２）。
【図３０】第２の実施形態の表示部に表示される画面例を示す画面図である。
【図３１】第２の実施形態の２回目以降のワンタッチキー押下時のキー割当切替制御部における動作選定処理を示すフローチャートである（その１）。
【図３２】第２の実施形態の２回目以降のワンタッチキー押下時のキー割当切替制御部における動作選定処理を示すフローチャートである（その２）。
【図３３】第２の実施形態の２回目以降のワンタッチキー押下時のキー割当切替制御部における動作選定処理を示すフローチャートである（その３）。
【図３４】第２の実施形態の２回目以降のワンタッチキー押下時のキー割当切替制御部における動作選定処理を示すフローチャートである（その４）。
【図３５】第２の実施形態の２回目以降のワンタッチキー押下時のキー割当切替制御部における動作選定処理を示すフローチャートである（その５）。
【発明を実施するための形態】
【０００９】
（Ａ）第１の実施形態
以下では、本発明の画像処理装置の第１の実施形態を、図面を参照しながら詳細に説明する。
【００１０】
第１の実施形態は、例えば、コピー機能、スキャン機能、プリント機能、ファクス機能、ネットワーク通信機能等の複数の機能を備える複合機（ＭＦＰ：マルチファンクションペリフェラル）に、本発明を適用する場合の実施形態を例示する。
【００１１】
（Ａ−１）第１の実施形態の構成
図１は、第１の実施形態に係る画像処理装置の構成を示す構成図である。
【００１２】
図１において、第１の実施形態に係る画像処理装置１００は、共通バス１２０に接続可能な、オペレーションパネル１０１、宛先情報登録部１０６、設定情報登録部１０７、キー割当部１０８、ワンタッチキー制御部１０９、読取部１１０、画像メモリ１１１、画像処理部１１２、印刷部１１３、ファクス送受信部１１４、ネットワーク送受信部１１５、ＣＰＵ１１６、ＲＡＭ１１７、ＲＯＭ１１８、制御部１１９を有する。
【００１３】
共通バス１２０は、画像処理装置１００が備える各要素を接続する信号線である。
【００１４】
オペレーションパネル１０１は、画像処理装置１００の操作表示手段である。オペレーションパネル１０１は、画像処理に係る設定項目を表示したり、ユーザ操作により各設定項目の設定値の設定や変更の入力を受け付けたり、ユーザ操作により画像データの電子メールやファクスの宛先情報の登録を受け付けたり等をするものである。
【００１５】
オペレーションパネル１０１は、表示部１０２、操作部１０３、表示状態管理部１０４、表示制御部１０５を有する。
【００１６】
図２は、第１の実施形態のオペレーションパネル１０１の外観構成を示す外観構成図である。図２において、オペレーションパネル１０１は、表示部１０２、操作部１０３を有する。
【００１７】
表示部１０２は、画像処理装置１００の状態や各種機能の画面や、操作部１０３を介して入力された入力情報等を表示するものである。表示部１０２は、例えば液晶表示ディスプレイ（ＬＣＤ：Liquid  Crystal  Display）等を適用することができる。
【００１８】
操作部１０３は、ユーザが操作する操作ボタンやテンキー等である。操作部１０３は、図２に示すように、画像処理装置１００における各種設定情報の入力や各種機能の選択等に用いられる。なお、操作部１０３は、例えばタッチパネル等のように、表示部と操作部とが物理的に一体となったものも含むものである。
【００１９】
操作部１０３は、図２に示すように、例えば、表示部１０２に表示されるポインタを、上方向に移動させる上キー１０３−１、下方向に移動させる下キー１０３−２、左方向に移動させる左キー１０３−３、右方向に移動させる右キー１０３−４、決定キー１０３−５を有する。また、操作部１０３は、画像処理装置１００への動作指示を行うスタートキー１０３−６、画像処理装置１００の動作をキャンセルさせるキャンセルキー１０３−７、画像処理装置１００の機器設定を行う機器設定キー１０３−８、コピー機能を動作させるコピーキー１０３−９、スキャン機能を動作させるスキャンキー１０３−１０、ファクス機能を動作させるファクスキー１０３−１１、プリント機能を動作させるプリントキー１０３−１２を有する。さらに、操作部１０３は、設定情報の登録処理を動作させる設定情報登録キー１０３−１３、ワンタッチキー１０３−１４を有する。
【００２０】
ここで、ワンタッチキー１０３−１４は、複数の処理が割り当てられている操作キーである。図２に例示するオペレーションパネル１０１は、ワンタッチキー１０３−１４が１個の場合を例示しているが、複数個のワンタッチキー１０３−１４を備えるようにしても良い。
【００２１】
表示状態管理部１０４は、表示部１０２に表示される画面の状態を管理するものである。表示状態管理部１０４は、表示制御部１０５の制御により、表示部１０２に表示する画面の状態を更新するものである。表示状態管理部１０４は、表示制御部１０５から表示画面の状態取得要求を受けると、現在の表示画面の状態を表示制御部１０５に与えるものである。
【００２２】
例えば、表示状態管理部１０４は、コピー機能やスキャン機能やファクス機能やプリント機能や電子メール機能等のアプリケーションを識別しており、各アプリケーションにおける表示画面の画面タイプを管理している。そして、表示制御部１０５から状態取得要求が与えられると、表示状態管理部１０４は、現在のアプリケーションにおける画面タイプを認識して、現在の表示画面の状態を表示制御部１０５に与える。
【００２３】
表示制御部１０５は、操作部１０３からの選択信号に基づいて、対応する表示画面を表示部１０２に表示させるものである。
【００２４】
また、表示制御部１０５は、ワンタッチキー１０３−１４が選択されると、表示状態管理部１０４に対して現在の表示画面の状態取得要求を行い、現在の表示状態情報を取得する。表示制御部１０５は、取得した現在の表示状態情報と、ワンタッチキー１０３−１４が押下された旨とを、ワンタッチキー制御部１０９に通知する。なお、ワンタッチキー１０３−１４が連続して複数回押下された場合、２回目以降の押下通知を受けたとき、表示制御部１０５は、ワンタッチキー制御部１０９に対して、再度の表示状態情報の取得及び通知を行わない。
【００２５】
さらに、表示制御部１０５は、ワンタッチキー制御部１０９からワンタッチキー１０３−１４の押下に対する振る舞い情報（以下、動作情報ともいう）を取得し、その動作情報に対応する画面を表示部１０２に表示させるものである。
【００２６】
宛先情報登録部１０６は、後述する読取部１１０により読み取られた画像データを電子メールで送受信するときやファクス通信するときなどの宛先情報を保存するものである。
【００２７】
ここで、読取部１１０により読み取られた画像データを電子メールで送信する機能をＳｃａｎ  Ｔｏ  Ｅ−ｍａｉｌ機能ともいう。また、読取部１１０により読み取られた画像データをファクス通信する機能をＳｃａｎ  Ｔｏ  Ｆａｘ機能ともいう。さらに、読取部１１０により読み取られた画像データをネットワーク上の端末（例えばパーソナルコンピュータ（ＰＣ））に送信する機能をＳｃａｎ  Ｔｏ  Ｎｅｔｗｏｒｋ  ＰＣ機能ともいう。
【００２８】
宛先情報登録部１０６は、Ｓｃａｎ  Ｔｏ  Ｅ−ｍａｉｌ機能の宛先指定で使用するアドレス帳と、Ｓｃａｎ  Ｔｏ  Ｆａｘ機能の宛先指定で使用する電話帳と、Ｓｃａｎ  Ｔｏ  Ｎｅｔｗｏｒｋ  ＰＣの宛先指定で使用するプロファイルの宛先情報を保存するものである。
【００２９】
宛先情報の登録方法は、特に限定されるものではなく、種々の方法を広く適用することができる。例えば、宛先情報の登録方法の例として、図３及び図４に例示する方法を適用できる。
【００３０】
図３及び図４は、宛先情報の登録方法を表示部１０２の画面遷移を用いて説明する説明図である。
【００３１】
図３において、図３（Ａ）は表示部１０２に表示される待機画面例である。この状態で、機器設定キー１０３−８が押下されると、図３（Ｂ）の画面が表示部１０２に表示される。図３（Ｂ）、図３（Ｃ）、図３（Ｅ）、図３（Ｇ）の画面例に示すように、機器設定の対象として、例えば「レポート」、「用紙」、「アドレス帳」、「電話帳」、「プロファイル」等がある。
【００３２】
例えば「アドレス帳」の宛先情報を登録する場合、図３（Ｃ）のように「アドレス帳」を選択すると、図３（Ｄ）の画面が表示される。図３（Ｄ）の画面において、「０１」、「０２」、「０３」、「０４」等の番号は、宛先情報の登録番号であり、ワンタッチキー１０３−１４を識別する番号と同等のものである。
【００３３】
図３（Ｄ）の画面が表示されると、図４に画面遷移に従ってアドレス帳の宛先情報が登録される。図４（Ａ）の画面で番号「０１」が選択されると、図４（Ｂ）のアドレス帳登録画面が表示される。「名前」を選択すると、図４（Ｃ）の入力画面が表示され入力可能となる。図４（Ｄ）のように「決定」が選択されると、図４（Ｅ）のアドレス帳登録画面に戻る。このとき、図４（Ｅ）の画面例のように入力された名前が表示される。次に、図４（Ｆ）のように「メールアドレス」が選択されると、図４（Ｇ）の入力画面が表示され入力可能となる。図４（Ｈ）のように「決定」が選択されると、図４（Ｉ）のアドレス帳登録画面に戻る。そして、「完了」が選択されると、図４（Ｊ）のアドレス帳の画面に戻る。
【００３４】
なお、「電話帳」（図３（Ｅ）及び図３（Ｆ）参照）、「プロファイル」（図３（Ｇ）及び図３（Ｈ）参照）の宛先情報の登録方法も、上述の「アドレス帳」の宛先情報と同一又は対応の手順を適用することができるため、ここでの説明を省略する。
【００３５】
設定情報登録部１０７は、コピー機能、スキャン機能、プリント機能、ファクス機能、ネットワーク通信機能等の各種機能を実行する際の設定情報を保存するものである。
【００３６】
設定情報の登録方法は、種々の方法を適用することができる。例えば、設定情報の登録方法の例として、図５及び図６に例示する方法を適用できる。
【００３７】
図５及び図６は、設定情報の登録方法を表示部１０２の画面遷移を用いて説明する説明図である。なお、図５及び図６は、例えば、コピー機能の設定情報の登録を行う場合を例示する。他の機能の設定情報についても、図５及び図６に示す登録方法と同様の方法により登録することができる。
【００３８】
図５において、図５（Ａ）は表示部１０２に表示される待機画面例である。右キー１０３−４が押下されると、図５（Ｂ）の画面が表示部１０２に表示される。図５（Ｂ）、図５（Ｅ）、図５（Ｆ）、図５（Ｉ）の画面例に示すように、例えばコピー機能の設定項目として、例えば「読取サイズ」、「両面」、「給紙トレイ」、「拡大／縮小」、「ソート」、「画質」、「原稿の画像向き」、「集約」等がある。
【００３９】
例えば、設定項目「読取サイズ：レター」、「集約：４枚（縦並び）」を設定する場合、図５（Ｂ）の画面から「読取サイズ」を選択すると、図５（Ｃ）の選択画面が表示され、図５（Ｄ）のように「レター」を選択する。その後、図５（Ｅ）の画面になり、図５（Ｆ）のように「集約」を選択すると、図５（Ｇ）の選択画面が表示され、スキャンした４枚の原稿画像を１枚に縦並びに集約する「４枚（縦並び）」を選択する。そうすると、図５（Ｉ）の画面に戻る。
【００４０】
図５（Ｉ）の画面が表示部１０２に表示されている状態で、設定情報登録キー１０３−１３が押下されると、図６（Ａ）の設定情報リスト画面が表示される。図６（Ａ）の画面において、「０１」、「０２」、「０３」等の番号は、宛先情報の登録番号であり、ワンタッチキー１０３−１４を識別する番号と同等のものである。図６（Ａ）の画面で番号「０１」が選択されると、図６（Ｂ）及び図６（Ｃ）に示すように、図５の手順で設定した設定値が表示される。図６（Ｃ）の画面で決定キー１０３−５を押下すると、図６（Ｄ）のように名前の入力画面が表示され、入力可能となる。そして、図６（Ｅ）の画面で「決定」が選択されると、図６（Ｆ）の画面のように、設定情報リスト「０１」に今回の設定情報が登録される。
【００４１】
図５及び図６に示すように、例えば、コピー機能を実行する前に、読取サイズや集約等の設定項目の設定値を変更した後、設定情報登録キー１０３−１３を押下することで変更した設定項目も含めて、コピー機能に関係する全ての設定項目の設定値をまとめて保存して名前を付けて登録することができる。
【００４２】
キー割当部１０８は、ワンタッチキー１０３−１４に、宛先情報登録部１０６と設定情報登録部１０７とで登録された情報を割り当てるものである。
【００４３】
また、キー割当部１０８は、ワンタッチキー１０３−１３の押下時の表示部１０２の表示状態と、ワンタッチキー１０３−１３の押下後に実行する動作とを管理するものである。
【００４４】
図７は、キー割当部１０８における割当情報としてのキー割当テーブルの構成を示す構成図である。図７において、キー割当テーブルは、ワンタッチキー１０３−１４に対して、「設定情報［０１］読み出し」、「アドレス帳［０１］指定」、「電話帳［０１］指定」、「プロファイルリスト［０１］指定」、の４個の動作を割り当てている。
【００４５】
また、図７のキー割当テーブルは、現在の表示部１０２の表示状態に応じて開始する動作を割り当てるために、「表示状態」と「ワンタッチキー押下時の振る舞い」とを対応付けられている。なお、図７では、「Ｃｏｐｙ」の状態と「Ｐｒｉｎｔ」の状態との「ワンタッチキー押下時の振る舞い」は共に、Ｃｏｐｙ時の「設定情報［０１］読み出し」を割り当てる場合を示しているが、勿論Ｃｏｐｙ時とＰｒｉｎｔ時とで設定値が異なるものであっても良い。
【００４６】
図７において、例えば、表示部１０２にＣｏｐｙ機能に関連する画面が表示されている場合、設定情報登録部１０７から「設定情報：０１」の情報を読み出しという動作を実行することを示している。
【００４７】
これにより、例えば、図８に示すように、コピー機能の関連する画面として待機画面が表示部１０２に表示されている状態（図８（Ａ）参照）で、ワンタッチキー１０３−１４が押下されると、「設定情報：０１」の情報が読み出され、設定情報［０１］の情報が表示部１０２に表示される（図８（Ｂ）参照）。これにより、ユーザは少ない操作ステップ数で、ワンタッチキー１０３−１４に割り当られている所望の設定値で処理を行うことができる。
【００４８】
ワンタッチキー制御部１０９は、表示制御部１０５から、ワンタッチキー１０３−１４の押下通知及び表示状態情報を受けると、表示状態情報に基づいてキー割当部１０８のキー割当テーブルを参照して、表示状態に応じたワンタッチキー１０３−１４押下時の割当動作を選定するものである。
【００４９】
このとき、ワンタッチキー制御部１０９は、表示状態に応じたワンタッチキー１０３−１４押下時の割当動作に対応する情報を、宛先情報登録部１０６や設定情報登録部１０７から取得する。
【００５０】
そして、ワンタッチキー制御部１０９は、キー割当テーブルを参照して、表示制御部１０５から受け取った表示状態に応じて、取得した情報のいずれかを選定し、その選定した情報をＲＡＭ１１７に反映させると共に、選定した情報を表示制御部１０５に与える。
【００５１】
例えば、ワンタッチキー１０３−１４が押下されると、ワンタッチキー制御部１０９は、当該ワンタッチキーに割り当てられた処理に関する情報を宛先情報登録部１０６や設定情報登録部１０７から取得する。表示状態情報「Ｓｃａｎ  Ｍｅｎｕ」の場合は、図７のキー割当テーブルを参照して、割当動作として「アドレス帳［０１］指定」が割り当てられているため、ワンタッチキー制御部１０９は、「アドレス帳［０１］指定」を選定する。ワンタッチキー制御部１０９は、ＲＡＭ１１７に記憶されているＳｃａｎ  Ｔｏ  Ｅ−ｍａｉｌ機能の宛先指定部分を「ＮＵＬＬ」から「アドレス帳［０１］のメールアドレス」に更新し、「アドレス帳［０１］指定」を表示制御部１０５に与える。
【００５２】
また、ワンタッチキー制御部１０９は、連続してワンタッチキー１０３−１４の押下通知を受けると、所定の順序で、割当動作に切り替えを行う。
【００５３】
ワンタッチキー１０３−１４の押下通知が連続的に受けた場合の割当動作の切り替え順序は、予め設定された順序で行われる。
【００５４】
図９は、ワンタッチキー１０３−１４が連続的に押下されたときの動作切り替え順序を説明する説明図である。
【００５５】
例えば、ワンタッチキー１０３−１４が押下されたときの表示状態が「Ｓｃａｎ  Ｍｅｎｕ」のときは、最初は「アドレス帳［０１］指定」が選定される。その後、１回目に続いて連続して２回目のワンタッチキー１０３−１４が押下されると「電話帳［０１］指定」が選定される。さらに２回目に続いて３回目のワンタッチキー１０３−１４が押下されると「プロファイルリスト［０１］指定」が選定され、３回目に続いて４回目のワンタッチキー１０３−１４が押下されると「設定情報［０１］読み出し」が選定され、４回目に続いて５回目のワンタッチキー１０３−１４が押下されると最初に戻って「アドレス帳［０１］指定」が選定される。
【００５６】
読取部１１０は、原稿を読み取り、読み取った原稿の画像データを画像メモリ１１１に一時的に記憶するものである。
【００５７】
画像メモリ１１１は、画像データを一時的に記憶するものである。
【００５８】
画像処理部１１２は、オペレーションパネル１０１を通じて設定された設定内容に基づいて、画像メモリ１１１に記憶されている画像データに対して、所定の画像処理（例えば、画像の回転や、解像度変換処理等）を行うものである。
【００５９】
印刷部１１３は、画像メモリ１１１に記憶されている画像データに基づく画像を媒体（例えば紙等）に印刷処理を行うものである。印刷部１１３は、印刷完了後、画像メモリ１１１に記憶されている画像データを消去するようにしても良い。
【００６０】
ファクス送受信部１１４は、所定のファクス通信プロトコルに則って、電話回線等の通信回線を介して、外部装置とファクスデータの送受信を行うものである。
【００６１】
ネットワーク送受信部１１５は、例えばＴＣＰ／ＩＰ等の通信プロトコルに則って、通信回線を介して、外部装置とデータの送受信を行うものである。
【００６２】
ＣＰＵ１１６は、制御部１１９の指示に従って演算処理を行うものである。
【００６３】
ＲＡＭ１１７は、画像処理装置１００の各種機能の動作を制御する際に必要な情報を記憶するものである。
【００６４】
ＲＯＭ１１８は、画像処理装置１００の制御プログラムを記憶するものである。
【００６５】
制御部１１９は、画像処理装置１００全体の機能を統括的に制御するものである。
【００６６】
（Ａ−２）第１の実施形態の動作
次に、第１の実施形態の画像処理装置１００におけるワンタッチキー１０３−１４が押下されたときの処理動作を、図面を参照しながら詳細に説明する。
【００６７】
（Ａ−２−１）ワンタッチキー押下時の動作選定制御の全体的な流れ
図１０は、画像処理装置１００においてワンタッチキー１０３−１４が押下されたときの処理を示すフローチャートである。図１１は、画像処理装置１００においてワンタッチキー１０３−１４が押下されたときの処理を示すシーケンス図である。
【００６８】
なお、ここでは、アドレス帳の１番目［０１］と、電話帳の１番目［０１］と、プロファイルリストの１番目［０１］とに宛先情報が予め登録されており、設定情報の１番目［０１］に設定情報が予め登録されているものとする。
【００６９】
Ｆ１０１：操作部１０３のワンタッチキー１０３−１４が押下されると、ワンタッチキー１０３−１４から押下信号が表示制御部１０５に与えられる（図１１のＳ１０１）。
【００７０】
Ｆ１０２：表示制御部１０５は、現在の表示状態を取得するために、表示状態管理部１０４に対して表示状態情報の取得要求を行い（図１１のＳ１０２）、表示部１０２の現在の表示状態を表示状態管理部１０４から取得する（図１１のＳ１０３）。
【００７１】
例えば、現在、表示部１０２に「Ｓｃａｎ  Ｍｅｎｕ」が表示されているものとする。この場合、表示制御部１０５は、表示状態管理部１０４から「Ｓｃａｎ  Ｍｅｎｕ」の表示状態情報を取得する。これにより、現在の表示状態が「Ｓｃａｎ  Ｍｅｎｕ」であることを表示制御部１０５は認識できる。
【００７２】
Ｆ１０３：表示制御部１０５は、ワンタッチキー１０３−１４が押下された旨と、Ｆ１０２で取得した表示状態情報とを、ワンタッチキー制御部１０９に通知する（図１１のＳ１０４）。
【００７３】
Ｆ１０４：ワンタッチキー制御部１０９は、キー割当部１０８に対して割当情報としてのキー割当テーブルの取得を要求し（図１１のＳ１０５）、例えば図７に示すキー割当テーブルをキー割当部１０８から取得する（図１１のＳ１０６）。
【００７４】
Ｆ１０５〜Ｆ１０６：ワンタッチキー制御部１０９は、例えば図７のキー割当テーブルを参照して、宛先情報登録部１０６及び設定情報登録部１０７から、ワンタッチキー１０３−１４に割り当てられている動作に係る宛先情報や設定情報を取得する（図１１のＳ１０７〜Ｓ１１４）。
【００７５】
具体的には、図７のキー割当テーブルのように、ワンタッチキー１０３−１４には、「設定情報［０１］読み出し」、「アドレス帳［０１］指定」、「電話帳［０１］指定」、「プロファイル［０１］指定」が割り当てられている。
【００７６】
そこで、ワンタッチキー制御部１０９は、アドレス帳［０１］の情報、電話帳［０１］の情報、プロファイル［０１］の情報、設定情報［０１］の情報を、宛先情報登録部１０６、設定情報登録部１０７から取得する。
【００７７】
図１２は、宛先情報の取得処理を示すフローチャートである。宛先情報の取得処理については、図１１のシーケンス図及び図１２のフローチャートを用いて説明する。
【００７８】
Ｆ１１１：ワンタッチキー制御部１０９は、図７のキー割当テーブルを参照して、宛先情報登録部１０６に対して、アドレス帳［０１］の取得要求を行う（図１１のＳ１０７）。宛先情報登録部１０６のアドレス帳にアドレス帳［０１］の情報が割り当てられているか否かを確認する。
【００７９】
Ｆ１１２：アドレス帳［０１］の情報が割り当てられている場合、ワンタッチキー制御部１０９は、アドレス帳［０１］の情報を取得する（図１１のＳ１０７）。一方、アドレス帳［０１］の情報が割り当てられていない場合、ワンタッチキー制御部１０９は、処理を図１２のＦ１１３に移行する。
【００８０】
Ｆ１１３：ワンタッチキー制御部１０９は、図７のキー割当テーブルを参照して、宛先情報登録部１０６に対して、電話帳［０１］の取得要求を行う（図１１のＳ１０９）。宛先情報登録部１０６の電話帳に電話帳［０１］の情報が割り当てられているか否かを確認する。
【００８１】
Ｆ１１４：電話帳［０１］の情報が割り当てられている場合、ワンタッチキー制御部１０９は、電話帳［０１］の情報を取得する（図１１のＳ１１０）。一方、電話帳［０１］の情報が割り当てられていない場合、ワンタッチキー制御部１０９は、処理を図１２のＦ１１５に移行する。
【００８２】
Ｆ１１５：ワンタッチキー制御部１０９は、図７のキー割当テーブルを参照して、宛先情報登録部１０６に対して、プロファイルリスト［０１］の取得要求を行う（図１１のＳ１１１）。宛先情報登録部１０６のプロファイルリストにプロファイルリスト［０１］の情報が割り当てられているか否かを確認する。
【００８３】
Ｆ１１６：プロファイルリスト［０１］の情報が割り当てられている場合、ワンタッチキー制御部１０９は、プロファイルリスト［０１］の情報を取得する（図１１のＳ１１２）。一方、プロファイルリスト［０１］の情報が割り当てられていない場合、ワンタッチキー制御部１０９は、処理を終了する。
【００８４】
図１３は、設定情報の取得処理を示すフローチャートである。設定情報の取得処理については、図１１のシーケンス図及び図１３のフローチャートを用いて説明する。
【００８５】
Ｆ１１７：ワンタッチキー制御部１０９は、図７のキー割当テーブルを参照して、設定情報登録部１０７に対して、設定情報［０１］の取得要求を行う（図１１のＳ１１３）。設定情報登録部１０７に設定情報［０１］の情報が割り当てられているか否かを確認する。
【００８６】
Ｆ１１８：設定情報［０１］の情報が割り当てられている場合、ワンタッチキー制御部１０９は、設定情報［０１］の情報を取得する（図１１のＳ１１４）。一方、設定情報［０１］の情報が割り当てられていない場合、ワンタッチキー制御部１０９は、処理を終了する。
【００８７】
Ｆ１０７：ワンタッチ制御部１０９は、Ｆ１０４で取得したワンタッチキー１０３−１４に割当情報が割り当てられているか否かを判断する。
【００８８】
そして、ワンタッチキー１０３−１４に割当情報が割り当てられていない場合、ワンタッチキー制御部１０９は、その旨（例えば「ＮＵＬＬ」）を表示制御部１０５に通知して処理を終了する。この場合、表示制御部１０５は、例えばワンタッチキー１０３−１４には割当情報が設定されていない旨を表示部１０２に表示させるようにしても良い。
【００８９】
Ｆ１０８：一方、ワンタッチキー１０３−１４に割当情報が割り当てられている場合、ワンタッチキー制御部１０９は、Ｆ１０３で取得した表示状態情報に基づいて、図７のキー割当テーブルを参照して、現在の表示状態に応じた割当動作を選定する。そして、ワンタッチキー制御部１０９は、選定した割当動作に係る情報をＲＡＭ１１７に更新して反映させる（図１１のＳ１１５）。さらに、ワンタッチキー制御部１０９は、選定した割当動作に係る情報を、表示制御部１０５に通知する（図１１のＳ１１６）。表示制御部１０５は、通知された割当動作に係る情報を反映させた画面を表示部１０２に表示させる（図１１のＳ１１７）。
【００９０】
例えば、表示状態情報が「Ｓｃａｎ  Ｍｅｎｕ」であるため、ワンタッチキー制御部１０９は、図７のキー割当テーブルから割当動作として「アドレス帳［０１］指定」を選定する。そして、ワンタッチキー制御部１０９は、ＲＡＭ１１７に記憶されているＳｃａｎ  Ｔｏ  Ｅ−ｍａｉｌ機能の宛先指定部分を「ＮＵＬＬ」から「アドレス帳［０１］のメールアドレス」に更新する。
【００９１】
また、表示制御部１０５は、ワンタッチキー制御部１０９から通知された「アドレス帳［０１］のメールアドレス」を表示した表示画面を表示部１０２に表示させる。
【００９２】
図１６は、表示部１０２に表示される画面例を示す画面図である。図１６の画面３０１に示すように、表示制御部１０５は、「アドレス帳［０１］のメールアドレス」を表示させたＳｃａｎ  Ｔｏ  Ｅ−Ｍａｉｌ画面を表示部１０２に表示する。
【００９３】
Ｆ１０９：表示制御部１０５は、連続してワンタッチキー１０３−１４が押下されたか否かを判断する。そして、例えば予め設定されたオペレーションタイムアウトが発生するまでの間に、ワンタッチキー１０３−１４が押下されたとき、表示制御部１０５は処理をＦ１１０に移行する。また、ワンタッチキー１０３−１４以外の操作キーが押下されるか又は予め設定されたオペレーションタイムアウトが発生した場合、表示制御部１０５は処理を終了する。
【００９４】
なお、操作部１０３のうち、実行キーとしてのスタートキー１０３−６が押下された場合、画像処理装置１００は表示部１０２に表示されている処理を実行する。
【００９５】
Ｆ１１０：１回目のワンタッチキー１０３−１４の押下に連続して、ワンタッチキー１０３−１４が複数回押下されると、表示制御部１０５はワンタッチキー１０３−１４の押下回数に応じて割当動作の切り替え処理を行う。
【００９６】
（Ａ−２−２）連続して複数回ワンタッチキーが押下されたときの動作切替処理
図１４は、ワンタッチキー１０３−１４が連続して押下されたときの割当動作の切り替え処理を示すフローチャートである。
【００９７】
Ｆ１１９：表示制御部１０５は、１回目の押下に連続してワンタッチキー１０３−１４から押下の通知を受けると、連続してワンタッチキー１０３−１４が押下された旨を、ワンタッチキー制御部１０９に通知する。
【００９８】
Ｆ１２０：ワンタッチキー制御部１０９は、図９の切り替え順序に従って、表示制御部１０５からのワンタッチキー１０３−１４の押下通知に基づいて、割当動作に係る情報の更新を行う。また、ワンタッチキー制御部１０９は、割当動作に係る情報を表示制御部１０５に与える。表示制御部１０５は、ワンタッチキー制御部１０９から取得した割当動作に係る情報を反映させた画面を表示部１０２に表示させる。
【００９９】
図１５は、ワンタッチキー１０３−１４が連続して押下されたときの割当動作の切り替え処理を示すシーケンス図である。
【０１００】
（２回目のワンタッチキー１０３−１４の押下）
１回目の押下に続いて２回目のワンタッチキー１０３−１４が押下されると、ワンタッチキー１０３−１４から押下信号が表示制御部１０５に通知される（Ｓ１１８）。
【０１０１】
表示制御部１０５は、ワンタッチキー１０３−１４の２回目の押下を、ワンタッチキー制御部１０９に通知する（Ｓ１１９）。このとき、連続下２回目のワンタッチキーの押下信号のため、表示制御部１０５は、ワンタッチキー制御部１０９に表示状態情報を通知しない。
【０１０２】
ワンタッチキー制御部１０９は、Ｆ１０３で取得した１回目のワンタッチキー押下時の表示状態で、図９の動作切替順序に従ってワンタッチキー１０３−１４に割り当られている割当動作を切り替えて選定する。そして、ワンタッチキー制御部１０９は、ＲＡＭ１１７に記憶されている情報を、選定した割当動作に関する情報に更新する（Ｓ１２０）。また、ワンタッチキー制御部１０９は、選定した割当動作に関する情報を表示制御部１０５に通知する（Ｓ１２１）。
【０１０３】
例えば、図９において、１回目のワンタッチキー押下時の表示状態が「Ｓｃａｎ  Ｔｏ  Ｅ−Ｍａｉｌ」であり、今回が２回目のワンタッチキーの押下であるため、ワンタッチキー制御部１０９は、図９の動作切替順序に従って、「電話帳［０１］指定」を選定する。ワンタッチキー制御部１０９は、ＲＡＭ１１７に記憶されていたＳｃａｎ  Ｔｏ  ＦＡＸ機能の宛先指定部分を「ＮＵＬＬ」に戻し、Ｓｃａｎ  Ｔｏ  ＮｅｔＷｏｒｋＰＣ機能の宛先指定部分を「ＮＵＬＬ」から「電話帳［０１］の電話番号」に更新する。そして、ワンタッチキー制御部１０９は、選定した電話帳［０１］の情報を表示制御部１０５に渡す。
【０１０４】
表示制御部１０５は、「電話帳［０１］指定」の情報を受け取ると、Ｓｃａｎ  Ｔｏ  Ｆａｘ機能の宛先に電話帳［０１］を指定したことを示す画面（図１６の画面３０２）を表示部１０２に表示させ（Ｓ１２２）、Ｆ１０９へ移行する。
【０１０５】
（３回目のワンタッチキー１０３−１４の押下）
さらに続けて、ワンタッチキー１０３−１４が押下されると、表示制御部１０５は、Ｆ１１０の処理を実行する。
【０１０６】
表示制御部１０５は、２回目のワンタッチキー１０３−１４が押下された後、連続してワンタッチキー１０３−１４が押下されたことを検知し（Ｓ１２３）、ワンタッチキー１０３−１４が押下された旨をワンタッチキー制御部１０９に通知する（Ｓ１２４）。
【０１０７】
次に、ワンタッチキー制御部１０９は、１回目のワンタッチキー押下時の表示状態が「Ｓｃａｎ  Ｔｏ  Ｅ−Ｍａｉｌ」であり、今回が３回目のワンタッチキーの押下であるため、図９の動作切替順序に従って、「プロファイルリスト［０１］指定」を選定する。ワンタッチキー制御部１０９は、ＲＡＭ１１７に記憶されていたＳｃａｎ  Ｔｏ  Ｅ−ｍａｉｌ機能の宛先指定部分を「ＮＵＬＬ」に戻し、Ｓｃａｎ  Ｔｏ  Ｆａｘ機能の宛先指定部分を「ＮＵＬＬ」から「プロファイルリスト［０１］の情報」に更新する（Ｓ１２５）。そして、ワンタッチキー制御部１０９は、選定した「プロファイルリスト［０１］」の情報を表示制御部１０５に渡す（Ｓ１２６）。
【０１０８】
表示制御部１０５は、「プロファイルリスト［０１］」の情報を受け取ると、Ｓｃａｎ  Ｔｏ  Ｎｅｔｗｏｒｋ  ＰＣ機能の宛先にプロファイルリスト［０１］を指定したことを示す画面（図１６の画面３０３）を表示部１０２に表示させ（Ｓ１２７）、Ｆ１０９へ移行する。
【０１０９】
（４回目のワンタッチキー１０３−１４の押下）
さらに続けて、ワンタッチキー１０３−１４が押下されると、表示制御部１０５はＦ１１０の処理を実行する。
【０１１０】
表示制御部１０５は、３回目のワンタッチキー１０３−１４が押下された後、連続してワンタッチキー１０３−１４が押下されたことを検知し（Ｓ１２８）、ワンタッチキー１０３−１４が押下された旨をワンタッチキー制御部１０９に通知する（Ｓ１２９）。
【０１１１】
次に、ワンタッチキー制御部１０９は、１回目のワンタッチキー押下時の表示状態が「Ｓｃａｎ  Ｔｏ  Ｅ−Ｍａｉｌ」であり、今回が５回目のワンタッチキーの押下であるため、図９の動作切替順序に従って、「設定情報［０１］読み出し」を選定する。ワンタッチキー制御部１０９は、ＲＡＭ１１７に記憶されていたＳｃａｎ  Ｔｏ  Ｎｅｔｗｏｒｋ  ＰＣ機能の宛先指定部分を「ＮＵＬＬ」に戻し、読み出した設定情報に更新する（Ｓ１３０）。そして、ワンタッチキー制御部１０９は、選定した「設定情報［０１］読み出し」の情報を表示制御部１０５に渡す（Ｓ１３１）。
【０１１２】
表示制御部１０５は、「設定情報［０１］読み出し」の情報を受け取ると、読み出した設定情報に設定が反映されたことを示す画面（図１６の画面３０４）を表示部１０２に表示させ（Ｓ１３２）、Ｆ１０９へ移行する。
【０１１３】
（５回目のワンタッチキー１０３−１４の押下）
さらに続けて、ワンタッチキー１０３−１４が押下されると、表示制御部１０５は、Ｆ１１０の処理を実行する。
【０１１４】
表示制御部１０５は、４回目のワンタッチキー１０３−１４が押下された後、連続してワンタッチキー１０３−１４が押下されたことを検知し（Ｓ１３３）、ワンタッチキー１０３−１４が押下された旨をワンタッチキー制御部１０９に通知する（Ｓ１３４）。
【０１１５】
次に、ワンタッチキー制御部１０９は、１回目のワンタッチキー押下時の表示状態が「Ｓｃａｎ  Ｔｏ  Ｅ−Ｍａｉｌ」であり、今回が４回目のワンタッチキーの押下であるため、図９の動作切替順序に従って、「アドレス帳［０１］読み出し」を選定する。ワンタッチキー制御部１０９は、ＲＡＭ１１７に記憶されていた設定情報［０１］の設定項目を元の設定値に戻し、Ｓｃａｎ  Ｔｏ  Ｅ−ｍａｉｌ機能の宛先指定部分を「ＮＵＬＬ」から「アドレス帳［０１］のメールアドレス」に更新する（Ｓ１３５）。そして、ワンタッチキー制御部１０９は、選定した「アドレス帳［０１］指定」の情報を表示制御部１０５に渡す（Ｓ１３６）。
【０１１６】
表示制御部１０５は、「アドレス帳［０１］指定」の情報を受け取ると、Ｓｃａｎ  Ｔｏ  Ｅ−ｍａｉｌ機能の宛先にアドレス帳［０１］のメールアドレスを指定したことを示す画面（図１６の画面３０５）を表示部１０２に表示させ（Ｓ１３７）、Ｆ１０９へ移行する。
【０１１７】
６回目以降の手順についても、上述したよう処理と同様の処理が繰り返し行われる。
【０１１８】
（Ａ−３）第１の実施形態の効果
以上のように、第１の実施形態によれば、表示部の表示状態に応じて、操作キーに割り当てた複数の処理を切り替えて選択することができる。
【０１１９】
（Ｂ）第２の実施形態
次に、本発明の画像処理装置の第２の実施形態を、図面を参照しながら詳細に説明する。
【０１２０】
第２の実施形態も、第１の実施形態と同様に、複数の機能を備える複合機に本発明を適用する場合の実施形態を説明する。
【０１２１】
（Ｂ−１）第２の実施形態の構成
図１７は、第２の実施形態に係る画像処理装置の構成を示す構成図である。
【０１２２】
図１７において、第２の実施形態に係る画像処理装置２００は、共通バス２２０に接続可能な、オペレーションパネル２０１、宛先情報登録部２０６、設定情報登録部２０７、キー割当部２０８、ワンタッチキー制御部２０９、読取部２１０、画像メモリ２１１、画像処理部２１２、印刷部２１３、ファクス送受信部２１４、ネットワーク送受信部２１５、ＣＰＵ２１６、ＲＡＭ２１７、ＲＯＭ２１８、制御部２１９、キー割当切替制御部２２１を有する。
【０１２３】
第２の実施形態に係る画像処理装置２００は、図１の第１の実施形態の画像処理装置１００が備える要素に加えて、キー割当切替制御部２２１を備える。そのため、第２の画像処理装置２００は、第１の実施形態で説明した画像処理装置１００と同一又は対応する処理を実現できる。
【０１２４】
以下においては、第１の実施形態の画像処理装置１００と異なる構成及び処理を中心に説明する。
【０１２５】
図１８は、第２の実施形態のオペレーションパネル２０１の外観構成を示す外観構成図である。
【０１２６】
図１８において、オペレーションパネル２０１の操作部２０３は、上キー２０３−１、下キー２０３−２、左キー２０３−３、右キー２０３−４、決定キー２０３−５、スタートキー２０３−６、キャンセルキー２０３−７、機器設定キー２０３−８、コピーキー２０３−９、スキャンキー２０３−１０、ファクスキー２０３−１１、プリントキー２０３−１２、設定情報登録キー２０３−１３、複数個のワンタッチキー２０３−１４、２０３−１５、２０３−１６を有する。
【０１２７】
なお、図１８では、３個のワンタッチキーを備える場合を例示するが、複数個を備えるものであればよく、２個であっても良いし又４個以上であっても良い。
【０１２８】
表示制御部２０５は、第１の実施形態の機能に加えて、操作部２０３のワンタッチキー２０３−１４、２０３−１５、２０３−１６が押下されると、表示状態管理部２０４から現在の表示状態情報を取得して、その取得した表示状態情報と合わせてワンタッチキーが押下された旨を、後述するワンタッチキー制御部２０９に通知するものである。また、表示制御部２０５は、ワンタッチキー制御部２０９からワンタッチキー押下に対する振る舞い情報（割当動作情報）を受け取ると、表示状態管理部２０４で管理する表示状態を更新するものである。
【０１２９】
キー割当部２０８は、宛先情報登録部２０６と設定情報登録部２０７とに登録されている情報を、ワンタッチキー２０３−１４、２０３−１５、２０３−１６のそれぞれに割り当てるものである。
【０１３０】
キー割当部２０８は、ワンタッチキー２０３−１４、２０３−１５、２０３−１６のそれぞれの押下時の表示部２０２の表示状態と、ワンタッチキー２０３−１４、２０３−１５、２０３−１６のそれぞれの押下時の振る舞い（動作）とを管理する。
【０１３１】
図１９は、キー割当部２０８における割当情報としてのキー割当テーブルの構成を示す構成図である。
【０１３２】
図１９において、キー割当テーブルは、それぞれのワンタッチキー２０３−１４、２０３−１５、２０３−１６に対して、１又は複数の動作を割り当てている。また、図１９のキー割当テーブルは、現在の表示部２０２の表示状態に応じて開始する動作を割り当てるために、「表示状態」と「ワンタッチキー押下時の振る舞い」とを対応付けられている。
【０１３３】
ワンタッチキー制御部２０９は、第１の実施形態の機能に加え、後述するキー割当切替制御部２２１に対して、ワンタッチキー種別情報と、連続的にワンタッチキーが押下されたときにそのワンタッチキーは同一キーなのか又は別のキーなのかの情報、１回目のワンタッチキーが押下されたときの表示状態情報を通知するものである。
【０１３４】
また、ワンタッチキー制御部２０９は、キー割当切替制御部２２１に対して、ワンタッチキーの割当情報を通知するものである。さらに、ワンタッチキー制御部２０９は、キー割当切替制御部２２１からワンタッチキー割当の切り替え情報を取得し、ＲＡＭ２１７に情報を反映させるものである。
【０１３５】
なお、反映させる際、前の情報は消去するが、表示状態が「Ｓｃａｎ  Ｔｏ  Ｅ−ｍａｉｌ」又は「Ｓｃａｎ  Ｔｏ  Ｆａｘ」の場合に、切り替え情報として「アドレス帳指定」又は「電話帳指定」を取得したとき、宛先を追加するようにする。そのため、その場合、前の反映情報はＲＡＭ２１７に残して反映させる。
【０１３６】
キー割当切替制御部２２１は、ワンタッチキー制御部２０９からワンタッチキー押下通知を取得すると、同時に取得するワンタッチキーに関する情報と表示状態情報、及びワンタッチキーの割当情報より、ワンタッチキーの振る舞いを選定して、ワンタッチキー制御部２０９に与えるものである。
【０１３７】
また、キー割当切替制御部２２１は、ワンタッチキーが連続的に押下されると、図９の動作切替順序に基づいて割り当てを選定するものである。
【０１３８】
さらに、キー割当切替制御部２２１は、選定した動作に関する情報が、宛先情報登録部２０６、設定情報登録部２０７に登録されていない場合には、何も情報が登録されていない旨のメッセージを、表示部２０２に表示するように表示制御部２０５に依頼するものである。例えば、所定時間（例えば３秒間等）だけ、登録されていない旨のメッセージを表示部２０２に表示するようにしたり、また例えば、登録されていない旨のメッセージを含む画面を表示部２０２に表示するようにしたりしても良い。
【０１３９】
（Ｂ−２）第２の実施形態の動作
次に、第２の実施形態の画像処理装置２００においてワンタッチキーが押下されたときの処理動作を、図面を参照しながら詳細に説明する。
【０１４０】
（Ｂ−２−１）ワンタッチキー押下時の動作選定制御の全体的な流れ
図２０は、画像処理装置２００においてワンタッチキーが押下されたときの処理を示すフローチャートである。図２１は、画像処理装置２００においてワンタッチキーが押下されたときの処理を示すシーケンス図である。
【０１４１】
なお、ここでは、アドレス帳の１番目［０１］、２番目［０２］、３番目［０３］と、電話帳の１番目［０１］、３番目［０３］と、プロファイルリスト１番目［０１］に宛先情報が登録されており、設定情報の１番目［０１］、２番目「０２」、３番目［０３］に設定情報が登録されているものとする。
【０１４２】
また、図１９に示すように、それぞれの１番目がワンタッチキー１０３−１４、それぞれの２番目がワンタッチキー１０３−１５、それぞれの３番目がワンタッチキー１０３−１６に割り当てられているものとする。
【０１４３】
Ｆ２０１：操作部２０３のワンタッチキー２０３−１４が押下されると、ワンタッチキー２０３−１４から押下信号が表示制御部２０５に通知される（図２１のＳ２０１）。
【０１４４】
Ｆ２０２：表示制御部２０５は、現在の表示状態を取得するために、表示状態管理部２０４に対して表示状態情報の取得要求を行い（図２１のＳ２０２）、表示状態管理部２０４から現在の表示部２０２の表示状態を示す情報を取得する（図２１のＳ２０３）。例えば、表示部２０２に「Ｓｃａｎ  Ｍｅｎｕ」が表示されているため、表示制御部２０５は「Ｓｃａｎ  Ｍｅｎｕ」の表示状態情報を取得する。
【０１４５】
Ｆ２０３：表示制御部２０５は、ワンタッチキー２０３−１４が押下された旨と、Ｆ２０２で取得した「Ｓｃａｎ  Ｍｅｎｕ」の表示状態情報と合わせて、ワンタッチキー制御部２０９に通知する（図２１のＳ２０４）。
【０１４６】
Ｆ２０４：ワンタッチキー制御部２０９は、図１９に示すような各ワンタッチキーの割当情報をキー割当部２０８から取得し（図２１のＳ２０５、Ｓ２０６）、その割当情報をキー割当切替制御部２２１に与える（図２１のＳ２０７）。
【０１４７】
Ｆ２０５：ワンタッチキー制御部２０９は、宛先情報登録部２０６から宛先情報を取得する（図２１のＳ２０８〜Ｓ２１３）。ここでは、図１９のキー割当テーブルに設定されている全てのワンタッチキー２０３−１４、２０３−１５、２０３−１６に割り当てられている動作に関連する宛先情報を宛先情報登録部２０６から取得する。宛先情報の取得方法は、第１の実施形態と同様の方法を適用することができるため、ここでの詳細な説明を省略する。
【０１４８】
Ｆ２０６：ワンタッチキー制御部２０９は、設定情報登録部２０７から設定情報を取得する（図２１のＳ２１４、Ｓ２１５）。ここでは、図１９のキー割当テーブルに設定されている全てのワンタッチキー２０３−１４、２０３−１５、２０３−１６に割り当てられている動作に関連する設定情報を設定情報登録部２０７から取得する。設定情報の取得方法は、第１の実施形態と同様の方法を適用することができるため、ここでの詳細な説明を省略する。
【０１４９】
Ｆ２０７：ワンタッチキー制御部２０９は、Ｆ２０４で取得した各ワンタッチキー２０３−１４、２０３−１５、２０３−１６に割当情報が割り当てられているか否かを判断する。
【０１５０】
このとき、ワンタッチキー制御部２０９は、今回押下されたワンタッチキー２０３−１４に割当情報が割り当てられていない場合（すなわち、「ＮＵＬＬ」である場合）、ワンタッチキー２０３−１４は、その旨（例えば「ＮＵＬＬ」）を表示制御部２０５に通知して処理を終了する。この場合、表示制御部２０５は、押下されたワンタッチキー２０３−１４には割当情報が割り当てられていない旨を表示部２０２に表示するようにしても良い。
【０１５１】
Ｆ２０８：ワンタッチキー２０３−１４に割当情報が割り当てられている場合、ワンタッチキー制御部２０９は、ワンタッチキー種別情報と、Ｆ２０２で取得した表示状態情報とを合わせた情報をワンタッチキー押下通知としてキー割当切替制御部２２１に与える（図２１のＳ２１６）。
【０１５２】
そして、キー割当切替制御部２２１は、取得したワンタッチキー種別情報、表示状態情報に基づいて割当動作（この場合、アドレス帳［０１］指定）を選定する。また、キー割当切替制御部２２１は、選定した割当動作に関連する情報をワンタッチキー制御部２０９に与える（図２１のＳ２１７）。
【０１５３】
なお、キー割当切替制御部２２１による割当動作の選定処理の詳細については後述する。
【０１５４】
Ｆ２０９：ワンタッチキー制御部２０９は、Ｆ２０２で取得した表示状態の情報と、Ｆ２０４で取得した割当情報と、Ｆ２０８で選定したワンタッチキーの割当動作に基づいて、ＲＡＭ２１７に記憶されているＳｃａｎ  Ｔｏ  Ｅ−ｍａｉｌ機能の宛先指定部分を「ＮＵＬＬ」から「アドレス帳［０１］のメールアドレス」に更新する（図２１のＳ２１８）。
【０１５５】
そして、ワンタッチキー制御部２０９は、Ｆ２０５で取得した「アドレス帳［０１］指定」の情報を、表示制御部２０５に通知する（図２１のＳ２１９）。
【０１５６】
表示制御部２０５は、「アドレス帳［０１］指定」の情報を受け取ると、表示状態管理部２０４の表示状態を「Ｓｃａｎ  Ｔｏ  Ｅ−ｍａｉｌ」に更新して（図２１のＳ２２０）、Ｓｃａｎ  Ｔｏ  Ｅ−ｍａｉｌ機能の宛先にアドレス帳［０１］を指定したことを示す画面（図３０の画面４０１）を表示部２０２に表示させる（図２１のＳ２２１）。
【０１５７】
Ｆ２１０：表示制御部２０５は、連続してワンタッチキー２０３−１４、２０３−１５、２０３−１６が押下されるか否かを判断する。そして、予め設定されたオペレーションタイムアウトが発生するまでの間に、ワンタッチキー２０３−１４、２０３−１５、２０３−１６のいずれかが押下されると、表示制御部２０５は、処理をＦ２１１に移行する。一方、ワンタッチキー２０３−１４、２０３−１５、２０３−１６以外に操作キーが押下された場合、又は、オペレーションタイムアウトが発生した場合、又は、ワンタッチキーには割り当てなしと判断された場合、表示制御部２０５は処理を終了する。
【０１５８】
Ｆ２１１：１回目のワンタッチキー２０３−１４の押下に続けて、ワンタッチキー２０３−１４、２０３−１５、２０３−１６が押下されると、表示制御部２０５は、いずれのワンタッチキー２０３−１４、２０３−１５、２０３−１６から押下であるかワンタッチキー種別を検出する。そして、表示制御部２０５は、ワンタッチキー種別及びワンタッチキーの押下回数に応じて割当動作の切り替え処理を行う。
【０１５９】
なお、連続して複数回のワンタッチキー押下時の動作選定処理については後述する。
【０１６０】
（Ｂ−２−２）１回目のワンタッチキー押下時のキー割当切替制御部２２１による動作選定処理
図２２〜図２６は、１回目のワンタッチキー押下時のキー割当切替制御部２２１における動作選定処理を示すフローチャートである。
【０１６１】
図２０のＦ２０８において、キー割当切替制御部２２１は、ワンタッチキー制御部２０９から、ワンタッチキー種別情報と、Ｆ２０２で取得した表示状態情報とを合わせた情報をワンタッチキー押下通知として取得する。
【０１６２】
Ｆ２１５：キー割当切替制御部２２１は、取得した表示状態情報に基づいて、現在の表示部２０２の表示状態を判断する。
【０１６３】
例えば、キー割当切替制御部２２１は、表示状態情報が「Ｓｃａｎ  Ｍｅｎｕ」又は「Ｓｃａｎ  Ｔｏ  Ｅ−ｍａｉｌ」の場合、処理を図２３のＦ２１６に移行する。
【０１６４】
また例えば、表示状態情報が「Ｓｃａｎ  Ｔｏ  Ｆａｘ」の場合、キー割当切替制御部２２１は、処理を図２４のＦ２１９に移行し、表示状態情報が「Ｓｃａｎ  Ｔｏ  Ｎｅｔｗｏｒｋ  ＰＣ」の場合、キー割当切替制御部２２１は処理を図２５のＦ２２２に移行する。
【０１６５】
さらに例えば、表示状態情報が「Ｓｃａｎ  Ｍｅｎｕ」、「Ｓｃａｎ  Ｔｏ  Ｅ−ｍａｉｌ」、「Ｓｃａｎ  Ｔｏ  Ｆａｘ」、「Ｓｃａｎ  Ｔｏ  Ｎｅｔｗｏｒｋ  ＰＣ」以外の場合、キー割当切替制御部２２１は処理を図２６のＦ２２５に移行する。
【０１６６】
Ｆ２１６：キー割当切替制御部２２１は、１回目のワンタッチキー押下時のワンタッチキー種別情報に基づいて、図１９のキー割当テーブルを参照して、表示状態「Ｓｃａｎ  Ｍｅｎｕ」又は「Ｓｃａｎ  Ｔｏ  Ｅ−ｍａｉｌ」に対応するアドレス帳が当該ワンタッチキーに割り当てられているか否かを確認する。
【０１６７】
キー割当切替制御部２２１は、アドレス帳が割り当てられている場合、処理をＦ２１７へ移行し、アドレス帳が割り当てられていない場合、処理をＦ２１８へ移行する。
【０１６８】
Ｆ２１７：アドレス帳が割り当てられている場合、キー割当切替制御部２２１は、その割り当てられている「アドレス帳指定」を選定し、その選定した「アドレス帳指定」をワンタッチキー制御部２０９に通知する。
【０１６９】
例えば、１回目としてワンタッチキー２０３−１４が押下された場合、キー割当切替制御部２２１は、図１９のキー割当テーブルを参照して、「アドレス帳［０１］指定」を選定し、その情報をワンタッチキー制御部２０９に通知する。
【０１７０】
Ｆ２１８：アドレス帳が割り当てられていない場合、キー割当切替制御部２２１は、図１９のキー割当テーブルを参照して、当該ワンタッチキー２０３−１４に割り当てられている別の割当情報に切り替える。この別の割当情報の切り替え方法は、キー割当切替制御部２２１が、例えば図９の動作切替順序に従って割当情報を切り替えるようにしても良い。
【０１７１】
例えば、図１９において、「Ｓｃａｎ  Ｍｅｎｕ」又は「Ｓｃａｎ  Ｔｏ  Ｅ−Ｍａｉｌ」に対応するアドレス帳がワンタッチキー２０３−１４に割り当てられていない場合、キー割当切替制御部２２１は、図９の動作切替順序に従って動作切替を行い、次の「電話帳「０１」指定」を別の割当情報として選定する。
【０１７２】
これにより、表示状態「Ｓｃａｎ  Ｍｅｎｕ」又は「Ｓｃａｎ  Ｔｏ  Ｅ−Ｍａｉｌ」に対応する割当情報が設定されていない場合でも、ワンタッチキー２０３−１４に割り当てられている別の動作をユーザに示すことができ、ユーザの利便性を図ることができる。
【０１７３】
なお、ここでは、別の割当情報を選定するものとしたが、キー割当切替制御部２２１が、対応する割当情報が設定されていないことをワンタッチキー制御部２０９に通知し、表示制御部２０５の表示制御により、対応する割当情報がない旨の画面を一時的に表示部２０２に表示し、その後に（例えば所定時間経過後に）、別の割当情報を含む画面するようにしても良い。
【０１７４】
Ｆ２１９：キー割当切替制御部２２１は、ワンタッチキー押下時のワンタッチキー種別情報に基づいて、図１９のキー割当テーブルを参照して、表示状態「Ｓｃａｎ  Ｔｏ  Ｆａｘ」に対応する電話帳が当該ワンタッチキーに割り当てられているか否かを確認する。
【０１７５】
キー割当切替制御部２２１は、電話帳が割り当てられている場合、処理をＦ２２０へ移行し、電話帳が割り当てられていない場合、処理をＦ２２１へ移行する。
【０１７６】
Ｆ２２０：電話帳が割り当てられている場合、キー割当切替制御部２２１は、その割り当てられている「電話帳指定」を選定し、その選定した「電話帳指定」をワンタッチキー制御部２０９に通知する。
【０１７７】
Ｆ２２１：電話帳が割り当てられていない場合、キー割当切替制御部２２１は、図１９のキー割当テーブルを参照して、当該ワンタッチキー２０３−１４に割り当てられている別の割当情報に切り替える。この別の割当情報の切り替え方法は、Ｆ２１８の処理と同様の処理を用いることができる。
【０１７８】
Ｆ２２２：キー割当切替制御部２２１は、ワンタッチキー押下時のワンタッチキー種別情報に基づいて、図１９のキー割当テーブルを参照して、表示状態「Ｓｃａｎ  Ｔｏ  ＮｅｔｗｏｒｋＰＣ」に対応するプロファイルリストが当該ワンタッチキーに割り当てられているか否かを確認する。
【０１７９】
キー割当切替制御部２２１は、プロファイルリストが割り当てられている場合、処理をＦ２２３へ移行し、プロファイルリストが割り当てられていない場合、処理をＦ２２４へ移行する。
【０１８０】
Ｆ２２３：プロファイルリストが割り当てられている場合、キー割当切替制御部２２１は、その割り当てられている「プロファイルリスト指定」を選定し、その選定した「プロファイルリスト指定」をワンタッチキー制御部２０９に通知する。
【０１８１】
Ｆ２２４：プロファイルリストが割り当てられていない場合、キー割当切替制御部２２１は、図１９のキー割当テーブルを参照して、当該ワンタッチキー２０３−１４に割り当てられている別の割当情報に切り替える。この別の割当情報の切り替え方法は、Ｆ２１８の処理と同様の処理を用いることができる。
【０１８２】
Ｆ２２５：例えば、表示状態「Ｃｏｐｙ」又は「Ｐｒｉｎｔ」の場合、キー割当切替制御部２２１は、ワンタッチキー押下時のワンタッチキー種別情報に基づいて、図１９のキー割当テーブルを参照して、表示状態「Ｃｏｐｙ」又は「Ｐｒｉｎｔ」に対応する設定情報が当該ワンタッチキーに割り当てられているか否かを確認する。
【０１８３】
キー割当切替制御部２２１は、設定情報が割り当てられている場合、処理をＦ２２６へ移行し、設定情報が割り当てられていない場合、処理をＦ２２７へ移行する。
【０１８４】
Ｆ２２６：設定情報が割り当てられている場合、キー割当切替制御部２２１は、その割り当てられている「設定情報読み出し」を選定し、その選定した「設定情報読み出し」をワンタッチキー制御部２０９に通知する。
【０１８５】
Ｆ２２７：設定情報が割り当てられていない場合、キー割当切替制御部２２１は、図１９のキー割当テーブルを参照して、当該ワンタッチキー２０３−１４に割り当てられている別の割当情報に切り替える。この別の割当情報の切り替え方法は、Ｆ２１８の処理と同様の処理を用いることができる。
【０１８６】
（Ｂ−２−３）連続して複数回ワンタッチキーが押下されたときの動作切替処理
次に、連続して複数回ワンタッチキーが押下されたときの動作切替処理を、図面を参照しながら詳細に説明する。
【０１８７】
図２７は、連続して複数回ワンタッチキーが押下されたときの動作切替処理を示すフローチャートである。
【０１８８】
図２０のＦ２１１において、ワンタッチキー２０３−１４の押下に続けて、ワンタッチキー２０３−１４、２０３−１５、２０３−１６のいずれかが押下されると、表示制御部２０５は、ワンタッチキー種別、ワンタッチキーの押下回数を検知し、表示状態管理部２０４から表示状態情報を取得する。
【０１８９】
Ｆ２１２：表示制御部２０５は、２回目以降の連続したワンタッチキーの押下により、ワンタッチキー種別、ワンタッチキーの押下回数、表示状態情報を、ワンタッチキー制御部２０９に通知する。
【０１９０】
Ｆ２１３：ワンタッチキー制御部２０９は、ワンタッチキー種別、押下されたワンタッチキーが同一か又は別かを示す情報、表示状態情報をキー割当切替制御部２２１に通知する。キー割当切替制御部２２１は、図１９のキー割当テーブルを参照して、ワンタッチキー種別に基づいて、今回のワンタッチキーの押下に伴う割当動作を選定する。そして、キー割当切替制御部２２１は、選定した割当動作をワンタッチキー制御部２０９に通知する。
【０１９１】
なお、Ｎ（Ｎ≧２）回目以降のワンタッチキー押下時のキー割当切替制御部２２１による動作選定処理の詳細な説明については後述する。
【０１９２】
Ｆ２１４：ワンタッチキー制御部２０９は、Ｆ２１２で取得した表示状態情報と、Ｆ２０４で取得した割当情報と、Ｆ２１３で選定されたワンタッチキーの動作とに基づいて、ＲＡＭ２１７に記憶されている情報を更新する。そして、ワンタッチキー制御部２０９は、選定された動作に関する情報を表示制御部２０５に通知し、表示制御部２０５は、取得した動作に関する情報を反映させた画面を表示部２０２に表示する。
【０１９３】
図２８及び図２９は、連続して複数回ワンタッチキーが押下されたときの動作切替処理を示すシーケンス図である。また、図３０は、連続して複数回ワンタッチキーが押下されたときの表示部２０２の画面遷移を説明する説明図である。
【０１９４】
ここでは、２回目にワンタッチキー２０３−１４、３回目にワンタッチキー２０３−１６、４回目にワンタッチキー２０３−１６、５回目にワンタッチキー２０３−１４、６回目にワンタッチキー２０３−１５が押下された場合を例示して具体的に説明する。
【０１９５】
（２回目のワンタッチキーの押下）
ワンタッチキー２０３−１４から押下信号が表示制御部２０５に通知されると（Ｓ２２２）、表示制御部２０５は、表示状態管理部２０４に対して表示状態情報の取得要求を行い（Ｓ２２３）、表示状態管理部２０４は、表示状態情報を表示制御部２０５に与える（Ｓ２２４）。
【０１９６】
例えば、図３０の画面４０１が表示部２０２に表示されている場合、現在の表示状態が「Ｓｃａｎ  Ｔｏ  Ｅ−Ｍａｉｌ」であるため、「Ｓｃａｎ  Ｔｏ  Ｅ−Ｍａｉｌ」の表示状態情報が表示制御部２０５に与えられる。
【０１９７】
表示制御部２０５は、ワンタッチキー２０３−１４の種別「１」、表示状態情報「Ｓｃａｎ  Ｔｏ  Ｅ−Ｍａｉｌ」をワンタッチキー制御部２０９に与える（Ｓ２２５）。
【０１９８】
ワンタッチキー制御部２０９は、ワンタッチキー２０３−１４の種別「１」、同一のキーが押下された旨、表示状態情報「Ｓｃａｎ  Ｔｏ  Ｅ−Ｍａｉｌ」を、キー割当切替制御部２２１に通知する（Ｓ２２６）。
【０１９９】
キー割当切替制御部２２１は、図１９のキー割当テーブルを参照し、表示状態情報「Ｓｃａｎ  Ｔｏ  Ｅ−Ｍａｉｌ」と、今回のワンタッチキー種別（ここではワンタッチキー２０３−１４）とに基づいて対応する動作（「アドレス帳指定」、図１９参照）を特定する。
【０２００】
そして、今回押下されたワンタッチキーが前回と同じキーであるため、キー割当切替制御部２２１は、上記特定した動作「アドレス帳指定」から、図９の動作切替順序に従って動作切替を行い「電話帳指定」を選定する。
【０２０１】
キー割当切替制御部２２１は、選定した動作「電話帳指定」への切替を通知し（Ｓ２２７）、ワンタッチキー制御部２０９は、ＲＡＭ２１７に記憶されているＳｃａｎ  Ｔｏ  ＦＡＸ機能の宛先指定部分を「ＮＵＬＬ」から「電話帳［０１］の情報」に更新する（Ｓ２２８）。
【０２０２】
また、ワンタッチキー制御部２０９は、「電話帳［０１］指定」の情報を表示制御部２０５に通知する（Ｓ２２９）。
【０２０３】
表示制御部２０５は、「電話帳［０１］指定」の情報を受け取ると、表示状態管理部２０４の表示状態を「Ｓｃａｎ  Ｔｏ  Ｆａｘ」に更新して（Ｓ２３０）、Ｓｃａｎ  Ｔｏ  Ｆａｘ機能の宛先に電話帳［０１］を指定したことを示す画面（図３０の画面４０２）を表示部２０２に表示させる（Ｓ２３１）。
【０２０４】
（３回目のワンタッチキーの押下）
さらに続けて、ワンタッチキー２０３−１６が押下され、ワンタッチキー２０３−１６から押下信号が表示制御部２０５に通知されると（Ｓ２３２）、表示制御部２０５は、表示状態管理部２０４に対して表示状態情報の取得要求を行い（Ｓ２３３）、表示状態管理部２０４は、表示状態情報を表示制御部２０５に与える（Ｓ２３４）。
【０２０５】
例えば、図３０の画面４０２が表示部２０２に表示されている場合、現在の表示状態が「Ｓｃａｎ  Ｔｏ  ＦＡＸ」であるため、「Ｓｃａｎ  Ｔｏ  ＦＡＸ」の表示状態情報が表示制御部２０５に与えられる。
【０２０６】
表示制御部２０５は、ワンタッチキー２０３−１６の種別「３」、別のキーが押下された旨、表示状態情報「Ｓｃａｎ  Ｔｏ  ＦＡＸ」をワンタッチキー制御部２０９に与える（Ｓ２３５）。
【０２０７】
ワンタッチキー制御部２０９は、ワンタッチキー２０３−１６の種別「３」、別のキーが押下された旨、表示状態情報「Ｓｃａｎ  Ｔｏ  ＦＡＸ」を、キー割当切替制御部２２１に通知する（Ｓ２３６）。
【０２０８】
キー割当切替制御部２２１は、図１９のキー割当テーブルを参照し、表示状態情報「Ｓｃａｎ  Ｔｏ  ＦＡＸ」と、今回のワンタッチキー種別（ここではワンタッチキー２０３−１６）とに基づいて対応する動作（「電話帳指定」、図１９参照）を特定する。
【０２０９】
そして、今回押下されたワンタッチキーが前回と別のキーであるため、キー割当切替制御部２２１は、上記特定した動作「電話帳指定」を選定する。
【０２１０】
キー割当切替制御部２２１は、選定した動作「電話帳指定」への切替を通知し（Ｓ２３７）、ワンタッチキー制御部２０９は、ＲＡＭ２１７に記憶されているＳｃａｎ  Ｔｏ  ＦＡＸ機能の宛先指定部分に、「電話帳［０３］の情報」を追加する更新する（Ｓ２３８）。
【０２１１】
このとき、表示状態が前回（２回目）と同じ「Ｓｃａｎ  Ｔｏ  ＦＡＸ」であるため、ワンタッチキー制御部２０９は、前回（２回目）で指定された宛先情報をＲＡＭ２１７に保持し、今回指定された宛先をＲＡＭ２１７に追加するようにする。これにより、２回目と３回目で指定された２件の宛先に対してＦＡＸ通信することができる。
【０２１２】
また、ワンタッチキー制御部２０９は、「電話帳［０３］指定」の情報を表示制御部２０５に通知する（Ｓ２３９）。
【０２１３】
表示制御部２０５は、「電話帳［０３］指定」の情報を受け取ると、表示状態管理部２０４の表示状態を「Ｓｃａｎ  Ｔｏ  Ｆａｘ」に更新して（Ｓ２４０）、Ｓｃａｎ  Ｔｏ  Ｆａｘ機能の宛先に電話帳［０３］を指定したことを示す画面（図３０の画面４０３）を表示部２０２に表示させる（Ｓ２４１）。
【０２１４】
図３０の画面４０３では、「Ｓｃａｎ  Ｔｏ  Ｆａｘ」の宛先情報として２件の宛先が表示される。ここで、例えば、ある操作キー又は画面４０３上に、宛先を削除する「削除」キーを備えるようにしても良い。これにより誤って選択された宛先情報を削除することができる。
【０２１５】
（４回目のワンタッチキーの押下）
さらに続けて、前回（３回目）と同じワンタッチキー２０３−１６が押下され、ワンタッチキー２０３−１６から押下信号が表示制御部２０５に通知されると（Ｓ２４２）、表示制御部２０５は、表示状態管理部２０４に対して表示状態情報の取得要求を行い（Ｓ２４３）、表示状態管理部２０４は、表示状態情報を表示制御部２０５に与える（Ｓ２４４）。
【０２１６】
例えば、図３０の画面４０３が表示部２０２に表示されている場合、現在の表示状態が「Ｓｃａｎ  Ｔｏ  ＦＡＸ」であるため、「Ｓｃａｎ  Ｔｏ  ＦＡＸ」の表示状態情報が表示制御部２０５に与えられる。
【０２１７】
表示制御部２０５は、ワンタッチキー２０３−１６の種別「３」、表示状態情報「Ｓｃａｎ  Ｔｏ  ＦＡＸ」をワンタッチキー制御部２０９に与える（Ｓ２４５）。
【０２１８】
ワンタッチキー制御部２０９は、ワンタッチキー２０３−１６の種別「３」、同じキーが押下された旨、表示状態情報「Ｓｃａｎ  Ｔｏ  ＦＡＸ」を、キー割当切替制御部２２１に通知する（Ｓ２４６）。
【０２１９】
キー割当切替制御部２２１は、図１９のキー割当テーブルを参照し、表示状態情報「Ｓｃａｎ  Ｔｏ  ＦＡＸ」と、今回のワンタッチキー種別（ここではワンタッチキー２０３−１６）とに基づいて対応する動作（「電話帳指定」、図１９参照）を特定する。
【０２２０】
そして、今回押下されたワンタッチキーが前回と同じキーであるため、キー割当切替制御部２２１は、上記特定した動作「電話帳指定」から、図９の動作切替順序に従って動作切替を行う。このとき、図１９に示すように、ワンタッチキー２０３−１６の「Ｓｃａｎ  Ｔｏ  ＮｅｔｗｏｒｋＰＣ」に対応する動作が割り当てられていないため、キー割当切替制御部２２１は、更に次の動作に切り替えるようにし、「設定情報読み出し（Ｃｏｐｙ用の設定情報）」を選定する。
【０２２１】
キー割当切替制御部２２１は、選定した動作「設定情報読み出し」への切替を通知し（Ｓ２４７）、ワンタッチキー制御部２０９は、ＲＡＭ２１７に記憶されている設定情報［０３］に更新する（Ｓ２４８）。
【０２２２】
また、ワンタッチキー制御部２０９は、「設定情報［０３］読み出し」の情報を表示制御部２０５に通知する（Ｓ２４９）。
【０２２３】
表示制御部２０５は、「設定情報［０３］読み出し」の情報を受け取ると、表示状態管理部２０４の表示状態を「Ｃｏｐｙ」機能に対応の「Ｃｏｐｙ」に更新して（Ｓ２５０）、Ｃｏｐｙ用の設定情報［０３］を読み出した画面（図３０の画面４０４）を表示部２０２に表示させる（Ｓ２５１）。
【０２２４】
ここで、Ｃｏｐｙ用の設定情報［０３］は、「読取サイズ：レター」、「集約：４枚（縦並び）」、「給紙トレイ:トレイ１」、「拡大／縮小：自動」等が設定されているものとする。この場合、図３０の画面４０４に示すように、設定情報［０３］の内容が表示部２０２に表示される。
【０２２５】
（５回目のワンタッチキーの押下）
さらに続けて、前回（４回目）と別のワンタッチキー２０３−１４が押下され、ワンタッチキー２０３−１４から押下信号が表示制御部２０５に通知されると（Ｓ２５２）、表示制御部２０５は、表示状態管理部２０４に対して表示状態情報の取得要求を行い（Ｓ２５３）、表示状態管理部２０４は、表示状態情報を表示制御部２０５に与える（Ｓ２５４）。
【０２２６】
例えば、図３０の画面４０４が表示部２０２に表示されている場合、現在の表示状態が「Ｃｏｐｙ」であるため、「Ｃｏｐｙ」の表示状態情報が表示制御部２０５に与えられる。
【０２２７】
表示制御部２０５は、ワンタッチキー２０３−１４の種別「１」、表示状態情報「Ｃｏｐｙ」をワンタッチキー制御部２０９に与える（Ｓ２５５）。
【０２２８】
ワンタッチキー制御部２０９は、ワンタッチキー２０３−１４の種別「１」、別のキーが押下された旨、表示状態情報「Ｃｏｐｙ」を、キー割当切替制御部２２１に通知する（Ｓ２５６）。
【０２２９】
キー割当切替制御部２２１は、図１９のキー割当テーブルを参照し、表示状態情報「Ｃｏｐｙ」と、今回のワンタッチキー種別（ここではワンタッチキー２０３−１４）とに基づいて対応する動作（「設定情報読み出し（Ｓｃａｎ  Ｔｏ  Ｅ−Ｍａｉｌ）」、図１９参照）を特定する。
【０２３０】
そして、今回押下されたワンタッチキーが前回と別のキーであるため、キー割当切替制御部２２１は、上記特定した動作「設定情報読み出し（Ｓｃａｎ  Ｔｏ  Ｅ−Ｍａｉｌ）」を選定する。
【０２３１】
キー割当切替制御部２２１は、選定した動作「設定情報読み出し」への切替を通知し（Ｓ２５７）、ワンタッチキー制御部２０９は、ＲＡＭ２１７に記憶されている前回のＣｏｐｙ機能の設定情報を削除してＳｃａｎ  Ｔｏ  Ｅ−Ｍａｉｌ機能の設定情報［０１］に更新する（Ｓ２５８）。
【０２３２】
また、ワンタッチキー制御部２０９は、「設定情報［０１］読み出し」の情報を表示制御部２０５に通知する（Ｓ２５９）。
【０２３３】
表示制御部２０５は、「設定情報［０１］読み出し」の情報を受け取ると、表示状態管理部２０４の表示状態を「Ｓｃａｎ  Ｔｏ  Ｅ−Ｍａｉｌ」に更新して（Ｓ２６０）、Ｓｃａｎ  Ｔｏ  Ｅ−Ｍａｉｌ機能の設定情報［０１］を読み出した画面（図３０の画面４０５）を表示部２０２に表示させる（Ｓ２６１）。
【０２３４】
ここで、Ｓｃａｎ  Ｔｏ  Ｅ−Ｍａｉｌの設定情報［０１］は、宛先としてアドレス帳［０３］を指定するものであり、読込設定が設定されているものとする。図３０の画面４０５では、読込設定がデフォルトと異なるためフラグ（図３０の画面４０５では黒丸）が付与される。
【０２３５】
（６回目のワンタッチキーの押下）
さらに続けて、前回（５回目）と別のワンタッチキー２０３−１５が押下され、ワンタッチキー２０３−１５から押下信号が表示制御部２０５に通知されると（Ｓ２６２）、表示制御部２０５は、表示状態管理部２０４に対して表示状態情報の取得要求を行い（Ｓ２６３）、表示状態管理部２０４は、表示状態情報を表示制御部２０５に与える（Ｓ２６４）。
【０２３６】
例えば、図３０の画面４０５が表示部２０２に表示されている場合、現在の表示状態が「Ｓｃａｎ  Ｔｏ  Ｅ−Ｍａｉｌ」であるため、「Ｓｃａｎ  Ｔｏ  Ｅ−Ｍａｉｌ」の表示状態情報が表示制御部２０５に与えられる。
【０２３７】
表示制御部２０５は、ワンタッチキー２０３−１５の種別「２」、表示状態情報「Ｓｃａｎ  Ｔｏ  Ｅ−Ｍａｉｌ」をワンタッチキー制御部２０９に与える（Ｓ２６５）。
【０２３８】
ワンタッチキー制御部２０９は、ワンタッチキー２０３−１５の種別「２」、別のキーが押下された旨、表示状態情報「Ｓｃａｎ  Ｔｏ  Ｅ−Ｍａｉｌ」を、キー割当切替制御部２２１に通知する（Ｓ２５６）。
【０２３９】
キー割当切替制御部２２１は、図１９のキー割当テーブルを参照し、表示状態情報「Ｓｃａｎ  Ｔｏ  Ｅ−Ｍａｉｌ」と、今回のワンタッチキー種別（ここではワンタッチキー２０３−１５）とに基づいて対応する動作（「アドレス帳［０２］指定」、図１９参照）を特定する。
【０２４０】
そして、今回押下されたワンタッチキーが前回と別のキーであるため、キー割当切替制御部２２１は、上記特定した動作「アドレス帳指定」を選定する。
【０２４１】
キー割当切替制御部２２１は、選定した動作「アドレス帳指定」への切替を通知し（Ｓ２６７）、ワンタッチキー制御部２０９は、ＲＡＭ２１７に記憶されているＳｃａｎ  Ｔｏ  Ｅ−Ｍａｉｌ機能の宛先に「アドレス帳［０２］の情報を更新する（Ｓ２６８）。
【０２４２】
このとき、表示状態が前回（５回目）と同じ「Ｓｃａｎ  Ｔｏ  Ｅ−Ｍａｉｌ」であるため、ワンタッチキー制御部２０９は、前回（５回目）で指定された宛先情報をＲＡＭ２１７に保持し、今回指定された宛先をＲＡＭ２１７に追加するようにする。これにより、５回目と６回目で指定された２件の宛先に対して電子メール通信することができる。
【０２４３】
また、ワンタッチキー制御部２０９は、「アドレス長［０２］指定」の情報を表示制御部２０５に通知する（Ｓ２６９）。
【０２４４】
表示制御部２０５は、「アドレス帳［０２］指定」の情報を受け取ると、表示状態管理部２０４の表示状態を「Ｓｃａｎ  Ｔｏ  Ｅ−Ｍａｉｌ」に更新して（Ｓ２７０）、Ｓｃａｎ  Ｔｏ  Ｅ−Ｍａｉｌ機能の宛先にアドレス帳［０２］の情報を追加した画面（図３０の画面４０６）を表示部２０２に表示させる（Ｓ２７１）。
【０２４５】
（Ｂ−２−４）Ｎ（Ｎ≧２）回目以降のワンタッチキー押下時のキー割当切替制御部２２１による動作選定処理
次に、２回目以降のワンタッチキー押下時のキー割当切替制御部２２１における動作選定処理を、図面を参照しながら詳細に説明する。
【０２４６】
図３１〜図３５は、２回目以降のワンタッチキー押下時のキー割当切替制御部２２１における動作選定処理を示すフローチャートである。
【０２４７】
図２７のＦ２１３において、キー割当切替制御部２２１は、ワンタッチキー制御部２０９から、ワンタッチキー種別情報と、今回のワンタッチキーが前回と同一キーか又は別のキーかの判別情報と、Ｆ２０２で取得した表示状態情報とを合わせた情報をワンタッチキー押下通知として取得する。
【０２４８】
Ｆ２２８：キー割当切替制御部２２１は、取得した表示状態情報に基づいて、現在の表示部２０２の表示状態を判断する。
【０２４９】
例えば、キー割当切替制御部２２１は、表示状態情報が「Ｓｃａｎ  Ｍｅｎｕ」又は「Ｓｃａｎ  Ｔｏ  Ｅ−ｍａｉｌ」の場合、処理を図３２のＦ２２９に移行する。
【０２５０】
また例えば、表示状態情報が「Ｓｃａｎ  Ｔｏ  Ｆａｘ」の場合、キー割当切替制御部２２１は、処理を図３３のＦ２３４に移行し、表示状態情報が「Ｓｃａｎ  Ｔｏ  Ｎｅｔｗｏｒｋ  ＰＣ」の場合、キー割当切替制御部２２１は処理を図３４のＦ２３９に移行する。
【０２５１】
さらに例えば、表示状態情報が「Ｓｃａｎ  Ｍｅｎｕ」、「Ｓｃａｎ  Ｔｏ  Ｅ−ｍａｉｌ」、「Ｓｃａｎ  Ｔｏ  Ｆａｘ」、「Ｓｃａｎ  Ｔｏ  Ｎｅｔｗｏｒｋ  ＰＣ」以外の場合、キー割当切替制御部２２１は処理を図３５のＦ２４４に移行する。
【０２５２】
Ｆ２２９：キー割当切替制御部２２１は、今回押下されたワンタッチキーが前回と同じキーであるかを判断する。今回押下されたワンタッチキーが前回と同じキーである場合、キー割当切替制御部２２１は処理をＦ２３０に移行し、別のキーである場合、キー割当切替制御部２２１は処理をＦ２３１に移行する。
【０２５３】
Ｆ２３０：今回押下されたワンタッチキーが前回と同じキーである場合、キー割当切替制御部２２１は、図１９のキー割当テーブルを参照し、現在の表示状態に応じた当該ワンタッチキーに割り当てられている動作から、図９の動作切替順序に従って、次のワンタッチキーに割り当てられている動作に切り替えて処理を終了する。
【０２５４】
Ｆ２３１：今回押下されたワンタッチキーが前回と別のキーである場合、キー割当切替制御部２２１は、今回のワンタッチキー種別情報に基づいて、図１９のキー割当テーブルを参照して、表示状態「Ｓｃａｎ  Ｍｅｎｕ」又は「Ｓｃａｎ  Ｔｏ  Ｅ−ｍａｉｌ」に対応するアドレス帳が当該ワンタッチキーに割り当てられているか否かを確認する。
【０２５５】
キー割当切替制御部２２１は、アドレス帳が割り当てられている場合、処理をＦ２３２へ移行し、アドレス帳が割り当てられていない場合、処理をＦ２３３へ移行する。
【０２５６】
Ｆ２３２：アドレス帳が割り当てられている場合、キー割当切替制御部２２１は、その割り当てられている「アドレス帳指定」を選定し、その選定した「アドレス帳指定」をワンタッチキー制御部２０９に通知する。
【０２５７】
Ｆ２３３：アドレス帳が割り当てられていない場合、キー割当切替制御部２２１は、当該ワンタッチキーに割当動作が登録されていない旨を、ワンタッチキー制御部２２１に通知し、表示制御部２０５の表示制御により、対応する割当情報がない旨の画面を表示部２０２に表示する。
【０２５８】
また、キー割当切替制御部２２１は、処理をＦ２３０に移行する。Ｆ２３０に処理を戻す移行することにより、同じワンタッチキーと見なすことができる。これにより、今回のワンタッチキーに割り当てられている別の割当情報に切り替えることができる。この別の割当情報の切替方法は、図２３のＦ２１８の処理と同様の処理を行うようにしても良い。これにより、表示状態「Ｓｃａｎ  Ｍｅｎｕ」又は「Ｓｃａｎ  Ｔｏ  Ｅ−Ｍａｉｌ」に対応する割当情報が設定されていない場合でも、今回押下されたワンタッチキーに割り当てられている別の動作をユーザに示すことができ、ユーザの利便性を図ることができる。
【０２５９】
Ｆ２３４：キー割当切替制御部２２１は、今回押下されたワンタッチキーが前回と同じキーであるかを判断する。今回押下されたワンタッチキーが前回と同じキーである場合、キー割当切替制御部２２１は処理をＦ２３５に移行し、別のキーである場合、キー割当切替制御部２２１は処理をＦ２３６に移行する。
【０２６０】
Ｆ２３５：今回押下されたワンタッチキーが前回と同じキーである場合、キー割当切替制御部２２１は、図１９のキー割当テーブルを参照し、現在の表示状態に応じた当該ワンタッチキーに割り当てられている動作から、図９の動作切替順序に従って、次のワンタッチキーに割り当てられている動作に切り替えて処理を終了する。
【０２６１】
Ｆ２３６：今回押下されたワンタッチキーが前回と別のキーである場合、キー割当切替制御部２２１は、今回のワンタッチキー種別情報に基づいて、図１９のキー割当テーブルを参照して、表示状態「Ｓｃａｎ  Ｔｏ  ＦＡＸ」に対応する電話帳が当該ワンタッチキーに割り当てられているか否かを確認する。
【０２６２】
キー割当切替制御部２２１は、電話帳が割り当てられている場合、処理をＦ２３７へ移行し、電話帳が割り当てられていない場合、処理をＦ２３８へ移行する。
【０２６３】
Ｆ２３７：電話帳が割り当てられている場合、キー割当切替制御部２２１は、その割り当てられている「電話帳指定」を選定し、その選定した「電話帳指定」をワンタッチキー制御部２０９に通知する。
【０２６４】
Ｆ２３８：電話帳が割り当てられていない場合、キー割当切替制御部２２１は、当該ワンタッチキーに割当動作が登録されていない旨を、ワンタッチキー制御部２２１に通知し、表示制御部２０５の表示制御により、対応する割当情報がない旨の画面を表示部２０２に表示する。Ｆ２３８の処理は、Ｆ２３３の処理と同様の処理を用いることができる。
【０２６５】
Ｆ２３９：キー割当切替制御部２２１は、今回押下されたワンタッチキーが前回と同じキーであるかを判断する。今回押下されたワンタッチキーが前回と同じキーである場合、キー割当切替制御部２２１は処理をＦ２４０に移行し、別のキーである場合、キー割当切替制御部２２１は処理をＦ２４１に移行する。
【０２６６】
Ｆ２４０：今回押下されたワンタッチキーが前回と同じキーである場合、キー割当切替制御部２２１は、図１９のキー割当テーブルを参照し、現在の表示状態に応じた当該ワンタッチキーに割り当てられている動作から、図９の動作切替順序に従って、次のワンタッチキーに割り当てられている動作に切り替えて処理を終了する。
【０２６７】
Ｆ２４１：今回押下されたワンタッチキーが前回と別のキーである場合、キー割当切替制御部２２１は、今回のワンタッチキー種別情報に基づいて、図１９のキー割当テーブルを参照して、表示状態「Ｓｃａｎ  Ｔｏ  ＮｅｔｗｏｒｋＰＣ」に対応するプロファイルリストが当該ワンタッチキーに割り当てられているか否かを確認する。
【０２６８】
キー割当切替制御部２２１は、プロファイルリストが割り当てられている場合、処理をＦ２４２へ移行し、プロファイルリストが割り当てられていない場合、処理をＦ２４３へ移行する。
【０２６９】
Ｆ２４２：プロファイルリストが割り当てられている場合、キー割当切替制御部２２１は、その割り当てられている「プロファイルリスト指定」を選定し、その選定した「プロファイルリスト指定」をワンタッチキー制御部２０９に通知する。
【０２７０】
Ｆ２４３：プロファイルリストが割り当てられていない場合、キー割当切替制御部２２１は、当該ワンタッチキーに割当動作が登録されていない旨を、ワンタッチキー制御部２２１に通知し、表示制御部２０５の表示制御により、対応する割当情報がない旨の画面を表示部２０２に表示する。Ｆ２４３の処理は、Ｆ２３３の処理と同様の処理を用いることができる。
【０２７１】
Ｆ２４４：例えば、表示状態「Ｃｏｐｙ」又は「Ｐｒｉｎｔ」の場合キー割当切替制御部２２１は、今回押下されたワンタッチキーが前回と同じキーであるかを判断する。今回押下されたワンタッチキーが前回と同じキーである場合、キー割当切替制御部２２１は処理をＦ２４５に移行し、別のキーである場合、キー割当切替制御部２２１は処理をＦ２４６に移行する。
【０２７２】
Ｆ２４５：今回押下されたワンタッチキーが前回と同じキーである場合、キー割当切替制御部２２１は、図１９のキー割当テーブルを参照し、現在の表示状態に応じた当該ワンタッチキーに割り当てられている動作から、図９の動作切替順序に従って、次のワンタッチキーに割り当てられている動作に切り替えて処理を終了する。
【０２７３】
Ｆ２４６：今回押下されたワンタッチキーが前回と別のキーである場合、キー割当切替制御部２２１は、今回のワンタッチキー種別情報に基づいて、図１９のキー割当テーブルを参照して、表示状態「Ｃｏｐｙ」又は「Ｐｒｉｎｔ」に対応する設定情報が当該ワンタッチキーに割り当てられているか否かを確認する。
【０２７４】
キー割当切替制御部２２１は、設定情報が割り当てられている場合、処理をＦ２４７へ移行し、設定情報が割り当てられていない場合、処理をＦ２４８へ移行する。
【０２７５】
Ｆ２４７：設定情報が割り当てられている場合、キー割当切替制御部２２１は、その割り当てられている「設定情報読み出し」を選定し、その選定した「設定情報読み出し」をワンタッチキー制御部２０９に通知する。
【０２７６】
Ｆ２４８：設定情報が割り当てられていない場合、キー割当切替制御部２２１は、当該ワンタッチキーに割当動作が登録されていない旨を、ワンタッチキー制御部２２１に通知し、表示制御部２０５の表示制御により、対応する割当情報がない旨の画面を表示部２０２に表示する。Ｆ２４８の処理は、Ｆ２３３の処理と同様の処理を用いることができる。
【０２７７】
（Ｂ−３）第２の実施形態の効果
以上のように、第２の実施形態によれば、第１の実施形態の効果に加えて、複数個のワンタッチキーに割当動作が割り当てられている場合でも、ワンタッチキーに割り当てられている動作を、そのときの表示状態に応じて切り替えることができる。
【０２７８】
（Ｃ）他の実施形態
（Ｃ−１）上述した第１の実施形態又は第２の実施形態では、本発明が画像処理装置に適用した場合を例示したが、本発明は、画面操作で機器を制御する携帯端末（例えば、携帯電話機、いわゆるスマートフォン、タブレット端末等を含むもの）やプリンタドライバー等のユーザインタフェースにも適用可能である。
【０２７９】
（Ｃ−２）上述した第１の実施形態又は第２の実施形態では、それぞれの操作キーに対して、表示状態毎の複数の機能を割り当て、操作キーが押下されたときの表示状態に応じて、対応する機能を選択する場合を例示した。しかし、画像形成装置に置ける状態は、表示状態に限定されるだけでなく、エラー状態に応じて、操作キーに割り当てられている機能を選択するようにしても良い。
【０２８０】
例えば、画像形成装置においてＦＡＸ機能がエラー状態の場合、ワンタッチキー制御部は、操作キーに割り当てられている割当動作のうち、ＦＡＸ機能の動作を行わずに別の動作に切り替え選択するようにしても良い。また例えば、ネットワーク通信機能がエラー状態の場合、ワンタッチキー制御部は、操作キーに割り当てられている電子メール機能を行わずに別の動作に切り替え選択するようにしても良い。
【符号の説明】
【０２８１】
１００、２００…画像処理装置、１０１及び２０１…オペレーションパネル、１０２及び２０２…操作部、１０４及び２０４…表示状態管理部、１０５及び２０５…表示制御部、１０６及び２０６…宛先情報登録部、１０７及び２０７…設定情報登録部、１０８及び２０８…キー割当部、１０９及び２０９…ワンタッチキー制御部、２２１…キー割当切替制御部、１１６及び２１６…ＣＰＵ、１１７及び２１７…ＲＡＭ、１１８及び２１８…ＲＯＭ、１１９及び２１９…制御部、１０３−１４、２０３−１４、２０３−１５及び２０３−１６…ワンタッチキー。
【図１】
2014217000.tif 000003
【図２】
2014217000.tif 000004
【図３】
2014217000.tif 000005
【図４】
2014217000.tif 000006
【図５】
2014217000.tif 000007
【図６】
2014217000.tif 000008
【図７】
2014217000.tif 000009
【図８】
2014217000.tif 000010
【図９】
2014217000.tif 000011
【図１０】
2014217000.tif 000012
【図１１】
2014217000.tif 000013
【図１２】
2014217000.tif 000014
【図１３】
2014217000.tif 000015
【図１４】
2014217000.tif 000016
【図１５】
2014217000.tif 000017
【図１６】
2014217000.tif 000018
【図１７】
2014217000.tif 000019
【図１８】
2014217000.tif 000020
【図１９】
2014217000.tif 000021
【図２０】
2014217000.tif 000022
【図２１】
2014217000.tif 000023
【図２２】
2014217000.tif 000024
【図２３】
2014217000.tif 000025
【図２４】
2014217000.tif 000026
【図２５】
2014217000.tif 000027
【図２６】
2014217000.tif 000028
【図２７】
2014217000.tif 000029
【図２８】
2014217000.tif 000030
【図２９】
2014217000.tif 000031
【図３０】
2014217000.tif 000032
【図３１】
2014217000.tif 000033
【図３２】
2014217000.tif 000034
【図３３】
2014217000.tif 000035
【図３４】
2014217000.tif 000036
【図３５】
2014217000.tif 000037